【手続補正書】
【提出日】平成24年8月7日(2012.8.7)
【手続補正１】
【補正対象書類名】特許請求の範囲
【補正対象項目名】全文
【補正方法】変更
【補正の内容】
【特許請求の範囲】
【請求項１】
発光手段を用いたストロボ撮影が可能な撮像装置であって、
測光手段と、
前記測光手段の測光結果に基づいて、露光時間および絞り値を含むストロボ撮影時の露出条件を設定する設定手段と、
前記測光手段の測光結果に基づいて、前記設定手段により設定された露出条件でストロボ撮影を行う際に必要となる前記発光手段の発光量を算出する発光量算出手段と、を有し、
前記設定手段は、前記発光手段で発光可能な最大発光量の発光を行うのに要する発光時間よりも短く、前記発光量算出手段により算出された発光量の発光を行うのに要する発光時間よりも短くない時間をストロボ撮影時の露光時間として設定すること特徴とする撮像装置。
【請求項２】
前記測光手段の測光結果に基づいて、ストロボ撮影時の露出条件の組み合わせを複数算出する露出条件算出手段と、
前記露出条件算出手段により算出された複数の露出条件の組み合わせの中から１つの露出条件を選択する選択手段と、を有し、
前記設定手段は、前記選択手段により選択された露出条件の組み合わせをストロボ撮影時の露出条件として設定することを特徴とする請求項１に記載の撮像装置。
【請求項３】
前記選択手段は、前記露出条件算出手段により算出された複数の露出条件の組み合わせの中で最も絞り値が小さい露出条件の組み合わせを選択することを特徴とする請求項２に記載の撮像装置。
【請求項４】
予め決められた所定の露光時間と前記測光手段の測光結果に基づいて、前記発光手段の発光量の算出に用いる算出用露出条件を算出する露出条件算出手段を有し、
前記露出条件算出手段により算出された算出用露出条件でストロボ撮影を行う際に必要となる前記発光手段の発光量である第１の発光量を前記発光量算出手段により算出し、
前記発光量算出手段により算出された第１の発光量の発光を行うのに要する発光時間よりもストロボ撮影時の露光時間が短くならないようにストロボ撮影時の露出条件を前記設定手段により設定し、前記設定手段により設定された露出条件でストロボ撮影を行う際に必要となる前記発光手段の発光量である第２の発光量を前記発光量算出手段により算出し、前記設定手段により設定された露出条件および前記発光量算出手段により算出された第２の発光量でストロボ撮影を行うことを特徴とする請求項１に記載の撮像装置。
【請求項５】
前記予め決められた所定の露光時間は、前記発光手段で発光可能な最大発光量の発光を行うのに要する発光時間以上の時間であることを特徴とする請求項４に記載の撮像装置。
【請求項６】
発光手段を用いたストロボ撮影が可能な撮像装置であって、
測光手段と、
前記測光手段の測光結果に基づいて、露光時間および絞り値を含むストロボ撮影時の露出条件を設定する設定手段と、
前記測光手段の測光結果に基づいて、前記設定手段により設定された露出条件でストロボ撮影を行う際に必要となる前記発光手段の発光量を算出する発光量算出手段と、を有し、
第１の露出条件でストロボ撮影を行う際に必要となる第１の発光量が前記発光手段で発光可能な最大発光量よりも大きい場合、前記設定手段は、前記第１の露出条件よりも露光時間が短く絞り値が小さい第２の露出条件を設定し、前記発光量算出手段は、前記最大発光量より発光量の小さい第２の発光量を算出することを特徴とする撮像装置。
【請求項７】
発光手段を用いたストロボ撮影が可能な撮像装置であって、
測光手段と、
前記測光手段の測光結果に基づいて、露光時間および撮影感度を含むストロボ撮影時の露出条件を設定する設定手段と、
前記測光手段の測光結果に基づいて、前記設定手段により設定された露出条件でストロボ撮影を行う際に必要となる前記発光手段の発光量を算出する発光量算出手段と、を有し、
第１の露出条件でストロボ撮影を行う際に必要となる第１の発光量が前記発光手段で発光可能な最大発光量よりも大きい場合、前記設定手段は、前記第１の露出条件よりも露光時間が短く撮影感度が高い第２の露出条件を設定し、前記発光量算出手段は、前記最大発光量より発光量の小さい第２の発光量を算出することを特徴とする撮像装置。
【請求項８】
前記第１の発光量が前記最大発光量よりも大きい場合、前記第２の露出条件及び前記第２の発光量を用いてストロボ撮影を行うことを特徴とする請求項６または７に記載の撮像装置。
【請求項９】
発光手段を用いたストロボ撮影が可能な撮像装置であって、
測光手段と、
前記測光手段の測光結果に基づいて、露光時間および絞り値を含むストロボ撮影時の露出条件を設定する設定手段と、
前記測光手段の測光結果に基づいて、前記設定手段により設定された露出条件でストロボ撮影を行う際に必要となる前記発光手段の発光量を算出する発光量算出手段と、を有し、
第１の露出条件でストロボ撮影を行う際に必要となる第１の発光量に相当する発光時間が前記第１の露出条件における露光時間よりも長い場合、前記設定手段は、前記第１の露出条件よりも露光時間が短く絞り値が小さい第２の露出条件を設定し、前記発光量算出手段は、前記第１の発光量より発光量の小さい第２の発光量を算出することを特徴とする撮像装置。
【請求項１０】
発光手段を用いたストロボ撮影が可能な撮像装置であって、
測光手段と、
前記測光手段の測光結果に基づいて、露光時間および撮影感度を含むストロボ撮影時の露出条件を設定する設定手段と、
前記測光手段の測光結果に基づいて、前記設定手段により設定された露出条件でストロボ撮影を行う際に必要となる前記発光手段の発光量を算出する発光量算出手段と、を有し、
第１の露出条件でストロボ撮影を行う際に必要となる第１の発光量に相当する発光時間が前記第１の露出条件における露光時間よりも長い場合、前記設定手段は、前記第１の露出条件よりも露光時間が短く撮影感度が高い第２の露出条件を設定し、前記発光量算出手段は、前記第１の発光量より発光量の小さい第２の発光量を算出することを特徴とする撮像装置。
【請求項１１】
前記第１の発光量に相当する発光時間が前記第１の露出条件における露光時間よりも長い場合、前記第２の露出条件及び前記第２の発光量を用いてストロボ撮影を行うことを特徴とする請求項９または１０に記載の撮像装置。
【請求項１２】
前記第２の発光量は、前記第２の露出条件でストロボ撮影を行う際に必要となる前記発光手段の発光量であることを特徴とする請求項６ないし１１のいずれか１項に記載の撮像装置。
【請求項１３】
発光手段を用いたストロボ撮影が可能な撮像装置の制御方法であって、
測光ステップと、
前記測光ステップでの測光結果に基づいて、露光時間および絞り値を含むストロボ撮影時の露出条件を設定する設定ステップと、
前記測光ステップでの測光結果に基づいて、前記設定ステップで設定された露出条件でストロボ撮影を行う際に必要となる前記発光手段の発光量を算出する発光量算出ステップと、を有し、
前記設定ステップでは、前記発光手段で発光可能な最大発光量の発光を行うのに要する発光時間よりも短く、前記発光量算出ステップで算出された発光量の発光を行うのに要する発光時間よりも短くない時間をストロボ撮影時の露光時間として設定すること特徴とする撮像装置の制御方法。
【請求項１４】
発光手段を用いたストロボ撮影が可能な撮像装置の制御方法であって、
測光ステップと、
前記測光ステップでの測光結果に基づいて、露光時間および絞り値を含むストロボ撮影時の露出条件を設定する設定ステップと、
前記測光ステップでの測光結果に基づいて、前記設定ステップで設定された露出条件でストロボ撮影を行う際に必要となる前記発光手段の発光量を算出する発光量算出ステップと、を有し、
第１の露出条件でストロボ撮影を行う際に必要となる第１の発光量が前記発光手段で発光可能な最大発光量よりも大きい場合、前記設定ステップでは、前記第１の露出条件よりも露光時間が短く絞り値が小さい第２の露出条件を設定し、前記発光量算出ステップでは、前記最大発光量より発光量の小さい第２の発光量を算出することを特徴とする撮像装置の制御方法。
【請求項１５】
発光手段を用いたストロボ撮影が可能な撮像装置の制御方法であって、
測光ステップと、
前記測光ステップでの測光結果に基づいて、露光時間および撮影感度を含むストロボ撮影時の露出条件を設定する設定ステップと、
前記測光ステップでの測光結果に基づいて、前記設定ステップで設定された露出条件でストロボ撮影を行う際に必要となる前記発光手段の発光量を算出する発光量算出ステップと、を有し、
第１の露出条件でストロボ撮影を行う際に必要となる第１の発光量が前記発光手段で発光可能な最大発光量よりも大きい場合、前記設定ステップでは、前記第１の露出条件よりも露光時間が短く撮影感度が高い第２の露出条件を設定し、前記発光量算出ステップでは、前記最大発光量より発光量の小さい第２の発光量を算出することを特徴とする撮像装置の制御方法。
【請求項１６】
発光手段を用いたストロボ撮影が可能な撮像装置の制御方法であって、
測光ステップと、
前記測光ステップでの測光結果に基づいて、露光時間および絞り値を含むストロボ撮影時の露出条件を設定する設定ステップと、
前記測光ステップでの測光結果に基づいて、前記設定ステップで設定された露出条件でストロボ撮影を行う際に必要となる前記発光手段の発光量を算出する発光量算出ステップと、を有し、
第１の露出条件でストロボ撮影を行う際に必要となる第１の発光量に相当する発光時間が前記第１の露出条件における露光時間よりも長い場合、前記設定ステップでは、前記第１の露出条件よりも露光時間が短く撮影感度が高い第２の露出条件を設定し、前記発光量算出ステップでは、前記第１の発光量より発光量の小さい第２の発光量を算出することを特徴とする撮像装置の制御方法。
【請求項１７】
発光手段を用いたストロボ撮影が可能な撮像装置の制御方法であって、
測光ステップと、
前記測光ステップでの測光結果に基づいて、露光時間および撮影感度を含むストロボ撮影時の露出条件を設定する設定ステップと、
前記測光ステップでの測光結果に基づいて、前記設定ステップで設定された露出条件でストロボ撮影を行う際に必要となる前記発光手段の発光量を算出する発光量算出ステップと、を有し、
第１の露出条件でストロボ撮影を行う際に必要となる第１の発光量に相当する発光時間が前記第１の露出条件における露光時間よりも長い場合、前記設定ステップでは、前記第１の露出条件よりも露光時間が短く撮影感度が高い第２の露出条件を設定し、前記発光量算出ステップでは、前記第１の発光量より発光量の小さい第２の発光量を算出することを特徴とする撮像装置の制御方法。
【手続補正２】
【補正対象書類名】明細書
【補正対象項目名】０００８
【補正方法】変更
【補正の内容】
【０００８】
上記目的を達成するために、本発明に係る撮像装置は、発光手段を用いたストロボ撮影が可能な撮像装置であって、測光手段と、前記測光手段の測光結果に基づいて、露光時間および絞り値を含むストロボ撮影時の露出条件を設定する設定手段と、前記測光手段の測光結果に基づいて、前記設定手段により設定された露出条件でストロボ撮影を行う際に必要となる前記発光手段の発光量を算出する発光量算出手段と、を有し、前記設定手段は、前記発光手段で発光可能な最大発光量の発光を行うのに要する発光時間よりも短く、前記発光量算出手段により算出された発光量の発光を行うのに要する発光時間よりも短くない時間をストロボ撮影時の露光時間として設定すること特徴とする。